(57)【要約】【課題】光源からの光による多種多様な演出効果が得られるようにして、特徴的で固有の雰囲気を醸し出させる美的もしくは斬新で新奇な装飾を施せるようにした収納ケースを提供する。【解決手段】ケース本体３を開閉する蓋体６に光源装置１８を設けた収納ケース１において、光源装置が、ＲＧＢ光源２１とＲＧＢ光源の各色の発光量をコントロールするコントローラを実装した電子基板２２とを備える。ケース本体に蓋体がヒンジ４を介して回動自在に連結され、ケース本体に、光源装置に電力を供給するボタン型電池２３が設けられるとともに、ヒンジに、電池と光源装置とを蓋体の回動量に応じて導通させる接離可能な接点３０が設けられる。【選択図】          図２
2004327094.tif 000002
【特許請求の範囲】
【請求項１】
ケース本体を開閉する蓋体に光源装置を設けた収納ケースにおいて、上記光源装置が、ＲＧＢ光源と該ＲＧＢ光源の各色の発光量をコントロールするコントローラとを備えることを特徴とする収納ケース。
【請求項２】
前記ケース本体に前記蓋体がヒンジを介して回動自在に連結され、上記ケース本体に、前記光源装置に電力を供給するバッテリが設けられるとともに、上記ヒンジに、上記バッテリと上記光源装置とを上記蓋体の回動量に応じて導通させる接離可能な接点が設けられることを特徴とする請求項１に記載の収納ケース。
【請求項３】
前記蓋体が、光を透過させる透明もしくは半透明に形成されていることを特徴とする請求項１または２に記載の収納ケース。
【請求項４】
前記蓋体には、前記ＲＧＢ光源の光を反射させる反射部材が設けられていることを特徴とする請求項１〜３いずれかの項に記載の収納ケース。
【請求項５】
前記蓋体には、前記光源装置を覆って、光を透過させる透明もしくは半透明のカバーが設けられていることを特徴とする請求項１〜４いずれかの項に記載の収納ケース。
【請求項６】
前記カバーには、前記光源装置を隠蔽する覆い部材が設けられていることを特徴とする請求項５に記載の収納ケース。
【発明の詳細な説明】
【０００１】
【発明の属する技術分野】
本発明は、光源からの光による多種多様な演出効果が得られるようにして、特徴的で固有の雰囲気を醸し出させる美的もしくは斬新で新奇な装飾を施せるようにした収納ケースに関する。
【０００２】
【従来の技術】
従来、光源を備えた容器として、例えば特許文献１に開示されたものが知られている。この容器は、照度の低い所、例えば、夜の屋外、ＯＨＰを用いた会議の席や夜間の車の中でも、カバンの内部、メモ帳に筆記する手元、また鏡に写る化粧時の顔を見ることができる光源を有する携帯用容器を提供することを目的とし、容器本体とこの容器本体に蝶番を介して開閉自在に取り付けられた上蓋部とからなる容器の上蓋部の内面に、アクリル製乳白色の拡散パネルと、この拡散パネルの後方に設けられた冷陰極蛍光灯からなる光源と、この光源の後方に設けられたアルミニウム薄板からなる反射シートを貼付した反射鏡と、光源を点灯させるための回路基板と、電源と、スイッチ手段とからなる光源ユニットを組み込み、光源を点灯させることにより、容器本体の内部を照明したり、容器本体を持つ者の顔を照射して暗い場所でも鏡を用いることができるようにして、照度の低い所でも、対象物を照らしたり、鏡に写る化粧時の顔を見ることができるようにしている。また、光源は一定の明るさで点灯させたり、手動で調光させる調光手段を設けるようにしていた。
【０００３】
なお、本願出願人は、関連する先行出願として、特願２００２−２２１１８９を出願している。
【０００４】
【特許文献１】
特開平１１−１０２６０１号公報
【０００５】
【発明が解決しようとする課題】
ところで、上記特許文献１の容器は、光源を備えながらも照明という観点のみに着目したものであって、光源を一定の明るさで点灯させたり、手動で調光手段を操作して調光する程度のものであり、光源によって容器にもたらすことが可能な多様な美的演出効果を有効かつ十分に利用することに着目したものではなかった。すなわち、特許文献１では、明るさを確保するためにのみ光源が必要であるとの考えの下に構成されたものであると考えられる。
【０００６】
しかしながら、光源を用いれば、多種多様な視覚的効果が得られ、同じ製品であっても光の作用によって醸し出される表情はさまざまに変わるものであって、本願発明者はこのような知見に基づき、光源によって容器に、今まで見たこともない美的装飾効果を与え得ることに着目して本発明を完成するに至ったものである。
【０００７】
本発明は上記従来の課題に鑑みて創案されたものであって、光源からの光による多種多様な演出効果が得られるようにして、特徴的で固有の雰囲気を醸し出させる美的もしくは斬新で新奇な装飾を施せるようにした収納ケースを提供することを目的とする。
【０００８】
【課題を解決するための手段】
本発明にかかる収納ケースは、ケース本体を開閉する蓋体に光源装置を設けた収納ケースにおいて、上記光源装置が、ＲＧＢ光源と該ＲＧＢ光源の各色の発光量をコントロールするコントローラとを備えることを特徴とする。
【０００９】
コントローラでＲＧＢ光源の各色の発光量をコントロールして発色や明度などを制御するようにしていて、これにより視覚的に訴える、光による多種多様な演出効果が得られ、収納ケースに、特徴的で固有の雰囲気を醸し出させる美的もしくは斬新で新奇な装飾を施すことが可能となる。
【００１０】
また、前記ケース本体に前記蓋体がヒンジを介して回動自在に連結され、上記ケース本体に、前記光源装置に電力を供給するバッテリが設けられるとともに、上記ヒンジに、上記バッテリと上記光源装置とを上記蓋体の回動量に応じて導通させる接離可能な接点が設けられることを特徴とする。
【００１１】
バッテリをケース本体に設けていて、収納ケースの重心が低くなり、その安定感を高め得る。また、ヒンジを介して回動される蓋体にバッテリを設けると、蓋体が重くなって閉じやすくなってしまうが、これを防止し得る。他方、ケース本体にヒンジを介して蓋体を回動自在に取り付け、このヒンジに蓋体の回動量に応じて接離可能な接点を設けていて、ケース本体を開閉する蓋体の回動操作でバッテリから光源装置への電力の供給・停止を自動的に切り換えることが可能となる。
【００１２】
また、前記蓋体が、光を透過させる透明もしくは半透明に形成されていることを特徴とする。これにより、蓋体の外観にも、光による演出効果を利用した特徴的な雰囲気の装飾を施すことが可能となる。
【００１３】
また、前記蓋体には、前記ＲＧＢ光源の光を反射させる反射部材が設けられていることを特徴とする。これにより、視覚的な装飾効果を発揮する光を、蓋体から外方へ向かって効果的に照射することが可能となる。
【００１４】
さらに、前記蓋体には、前記光源装置を覆って、光を透過させる透明もしくは半透明のカバーが設けられていることを特徴とする。これにより、光をカバーを通して発散させて、光の拡散や乱反射など、さまざまな視覚的効果を付加することが可能となる。
【００１５】
また、前記カバーには、前記光源装置を隠蔽する覆い部材が設けられていることを特徴とする。これにより、光源装置がカバーを介して透けて見えることを防止して、美観を高めることが可能となる。
【００１６】
【発明の実施の形態】
以下に、本発明にかかる収納ケースの好適な一実施形態を、添付図面を参照して詳細に説明する。本実施形態にかかる収納ケース１は図１〜図４に示すように、各種の収納物を収納する収納空間２が形成されたケース本体３と、ケース本体３の一端にヒンジ４を介して回動自在に連結されて、ケース本体３を開閉するとともに、ケース本体３の他端にフック手段５を介して係脱自在に係合されて、当該ケース本体３を閉止状態に維持する蓋体６とから主に構成される。
【００１７】
フック手段５は、ケース本体３に形成された凹所７内にスライド自在に設けられたプッシュピース８と、プッシュピース８に形成されたフック用突起９と、蓋体６に形成されてフック用突起９に係脱自在に係合されるフック部１０とから構成され、プッシュピース８がケース本体３内方へ押し込まれることにより、フック用突起９がフック部１０から離脱されて、蓋体６を開くことができるようになっている。またヒンジ４は、フック手段５とは反対側においてケース本体３に形成されたヒンジ凹所１１に、蓋体６から垂下させたヒンジブロック１２が挿入され、ケース本体３からヒンジブロック１２にわたってヒンジピン１３が挿入されることで構成される。
【００１８】
図示例にあっては、収納ケース１として、収納空間２に、化粧料１４が充填された中皿１５が収納される携帯用の化粧料容器が例示されている。しかしながら、収納ケース１としては、このような化粧料容器に限らず、宝石や装身具など、いかなる収納物を収納するものであっても良いことはもちろんである。
【００１９】
蓋体６について説明すると、蓋体６の周縁部には、ケース本体３側へ向かって垂下させて外周壁６ａが形成され、これにより蓋体６の外観を呈する表面６ｂとは反対側の裏面６ｃに、外周壁６ａで取り囲んで凹部１６が区画形成される。この凹部１６には、中央部に開口部１７ａが形成されて、その開口部１７ａ周縁が蓋体６の裏面６ｃに固定され、またその外周縁が外周壁６ａ内面に固定される反射部材としての反射板１７と、反射板１７の開口部１７ａに挿入されて蓋体６の裏面６ｃに固定され、発光する光源装置１８と、外周壁６ａ内面に外周縁が固定され、光源装置１８および反射板１７をそれらとの間に間隔を隔てて覆いつつ、凹部１６を封鎖する板状のカバー１９とが設けられる。
【００２０】
反射板１７は側断面が開口部１７ａから外周縁に向かってカバー１９側に向かって凹のパラボラ状に湾曲されて形成され、これにより光源装置１８からの照射光を、カバー１９へ向かって反射させる。カバー１９は、光を透過させる透明もしくは半透明に形成される。カバー１９としては、光を拡散させるものが好ましい。またカバー１９には、光源装置１８と対応する位置に窪み部１９ａが形成され、この窪み部１９ａには、カバー１９を透かして光源装置１８が見えないように隠蔽する覆い部材としての鏡板２０が設けられる。
【００２１】
光源装置１８は、ＲＧＢ光源２１と、このＲＧＢ光源２１の各色の発光量をコントロールするコントローラを構成する電子部品が実装された電子基板２２とから構成され、ＲＧＢ光源２１は電子基板２２上に直接実装されている。ＲＧＢ光源２１としては、ＬＥＤやエレクトロルミネセンス（ＥＬ）素子など、従来知られている各種のものを採用することができる。コントローラを構成する電子部品には、ＲＧＢ光源２１の発光をコントロールするプログラミングが書き込まれたＩＣチップ等の制御素子が含まれ、プログラミングに従ってＲＧＢ光源２１を発光させる。
【００２２】
ＲＧＢ光源２１の発光のさせ方としては、例えば全体の発光量を増減させてゆっくりと明滅させながら、この明滅の間に、赤、緑および青の発光割合を順次変化させてさまざまな色合いで発光させたり、あるいは短い時間間隔で明滅させながらそのたびにさまざまな色に変えて発色させるなど、どのようなプログラミングを制御素子に格納してもよい。
【００２３】
次に、ケース本体３について説明すると、ケース本体３は、底部３ａとこの底部３ａ外周縁から蓋体６側へ向かって立ち上げて形成された周側壁３ｂとから構成され、これにより中皿１５を収納する収納空間２がケース本体３内部に区画形成される。この収納空間２には、中皿１５の他に、光源装置１８に電力を供給するバッテリとしてのボタン型電池２３を交換可能に収納するバッテリケース２４が設けられる。中皿１５は、収納空間２の深さよりも浅く形成されるとともに、その外周縁の環状フランジ部１５ａが周側壁３ｂの上端に係止されてケース本体３に固定され、これにより中皿１５とケース本体３の底部３ａとの間に、バッテリケース２４を格納するための隙間が形成される。
【００２４】
バッテリケース２４は、２つのボタン型電池２３を、それら表裏のプラス・マイナスの電極を逆向きで、露出状態で保持する枠体状に形成される。そしてこのバッテリケース２４は、ケース本体３にその周側壁３ｂから底部３ａにわたって形成した切り欠き部２６と、中皿１５から垂下させて、切り欠き部２６から収納空間２の奥に向かって形成した一対のスライドレール２７とによって、隙間内へスライド自在に挿入される。
【００２５】
またバッテリケース２４には、これを収納空間２内に安定的に保持するために、挿入方向前方へ突設した一対の可撓性弾性片２８の各先端に、一対のスライドレール２７の端部に形成した各係止凸部２９と係脱自在に係止される係止突起３０が形成される。また、ケース本体３の底部３ａには、バッテリケース２４をケース本体３内に装着した際に、２つの電池２３の一方の電極同士を導通させる導体２５が設けられる。そしてこのバッテリケース２４は、切り欠き部２６からスライドレール２７を介して隙間へ挿抜することでケース本体３に対し脱着され、これにより電池２３を交換できるようになっている。
【００２６】
さらに、ケース本体３内の電池２３から、蓋体６内の光源装置１８に電力を供給するために、これらケース本体３と蓋体６とを連結するヒンジ４に接点３０が設けられる。接点３０は、２つの電池２３の他方の電極それぞれと基端部３１ａが導通されるプラス・マイナス一対のバッテリ側リード線３１の先端部３１ｂと、光源装置１８の電子基板２２に基端部３２ａが接続されるプラス・マイナス一対の光源側リード線３２の先端部３２ｂとで構成される。光源側リード線３２は帯板状で、蓋体６の凹部１６からヒンジ片１２にわたって一連に貼り付けて設けられ、その先端部３２ｂによってヒンジ片１２表面が部分的に覆われる。
【００２７】
バッテリ側リード線３１も帯板状に形成され、その基端部３１ａおよび先端部３１ｂを除いて、中皿１５に収納空間２からヒンジ凹部１１にわたって一連に貼り付けて設けられる。バッテリ側リード線３１の基端部３１ａは、交換される電池２３に接離可能に弾接されるべく、弾性変形可能に中皿１５から浮かせて形成される。またバッテリ側リード線３１の先端部３１ｂは、中皿１５の環状フランジ部１５ａとケース本体３の周側壁３ｂ上端との間からヒンジ凹部１１内に突出され、かつ弾性変形可能に当該環状フランジ部１５ａおよび周側壁３ｂから浮かせて形成される。
【００２８】
そして、表面に光源側リード線３２が配設され、蓋体６の回動に従ってヒンジ凹部１１内で回転されるヒンジ片１２は、蓋体６がケース本体３を閉じているときには、ヒンジ凹部１１内に浅く位置してバッテリ側リード線３１の先端部３１ｂとの間に相当の間隙を隔てるとともに、ケース本体３を開いていく蓋体６の回動過程で、バッテリ側リード線３１の先端部３１ｂにこれを弾性変形させつつ当接するように、ヒンジ凹部１１内に深く進入していく外形輪郭で形成され、このヒンジ片１２の回転によってバッテリ側リード線３１と光源側リード線３２の先端部３１ｂ，３２ｂ同士が接離自在に接触され、これにより、電池２３と光源装置１８とを蓋体６の回動量に応じて導通させる接離可能な接点３０が構成される。
【００２９】
さらに必要に応じて、蓋体６も、光を透過させる透明もしくは半透明に形成されるとともに、この蓋体６に光を透過させるために反射板１７の一部が適宜に切除される。そして蓋体６は、これを透過するＲＧＢ光源２１からの照射光によって、その表面６ｂが照らし出されるようになっている。また、鏡板２０の裏面にも必要に応じて、ＲＧＢ光源２１からの光がカバー１９を介し鏡板２０の鏡面から照射されるように、銀メッキを部分的に除去した透過部を形成するようにしても良い。
【００３０】
次に、上記構成を備える本実施形態の収納ケース１の作用について説明すると、フック手段５を外し蓋体６を回動させてケース本体３を開いていくと、接点３０が当接されてボタン型電池２３から光源装置１８に電力が供給され、ＲＧＢ光源２１は、制御素子に書き込まれたプログラミングに従って、明滅などしながら多種多様な色合いや明るさで発光する。このＲＧＢ光源２１の光はカバー１９を介して、直接光としてもしくは反射板１７で反射されて反射光として、開かれた蓋体６の裏面６ｃ側を様々な態様で照らし出す。
【００３１】
また、ＲＧＢ光源２１からの照射光は、透明もしくは半透明の蓋体６を透過してその表面６ｂを照らし出す。さらに、ＲＧＢ光源２１からの光は銀メッキを除去した鏡板２０を透過して外方に照射される。他方、蓋体６でケース本体３を閉じると接点３０が離れ、これによりＲＧＢ光源２１は消灯される。
【００３２】
このように以上説明した本実施形態にかかる収納ケース１にあっては、蓋体６に設けられる光源装置１８を、ＲＧＢ光源２１とＲＧＢ光源２１の各色の発光量をコントロールするコントローラとを備えて構成したので、コントローラでＲＧＢ光源２１の各色の発光量をコントロールして発色や明度などを制御し、これにより視覚的に訴える、光による多種多様な演出効果を得ることができ、収納ケース１に、特徴的で固有の雰囲気を醸し出させる美的もしくは斬新で新奇な装飾を施すことができる。すなわち、コントローラでコントロールされるＲＧＢ光源２１の照射光によって多種多様な視覚的効果を得ることができ、同じ製品であってもこの光の作用によって醸し出される表情をさまざまに変えることができて、このＲＧＢ光源２１によって収納ケース１に、今まで見たこともない美的装飾効果を与えることができる。
【００３３】
また、ケース本体３に、ヒンジ４を介して蓋体６を回動自在に連結する場合に、ケース本体３に、光源装置１８に電力を供給する電池２３を設けるとともに、ヒンジ４に、電池２３と光源装置１８とを蓋体６の回動量に応じて導通させる接離可能な接点３０を設けるようにしたので、電池２３の重さによって収納ケース１の重心を低くすることができ、その安定感を高めることができるとともに、蓋体６に電池２３を設けると、蓋体６が重くなって閉じやすくなってしまうが、これも防止し得る。さらに、ケース本体３を開閉する蓋体６の回動操作によって、自動的に電池２３から光源装置１８への電力の供給・停止を切り換えることができ、合理的にＲＧＢ光源２１の点灯・消灯を行わせることができるとともに、その操作性を向上できる。
【００３４】
また、蓋体６を、光を透過させる透明もしくは半透明に形成したので、蓋体６の外観にも、光による演出効果を利用した特徴的な雰囲気の装飾を施すことができる。また、蓋体６にＲＧＢ光源２１の光を反射させる反射板１７を設けたので、視覚的な装飾効果を発揮する光を、蓋体６から外方へ向かって効果的に照射することができる。さらに、蓋体６に光源装置１８を覆って、光を透過させる透明もしくは半透明のカバー１９を設けたので、光をカバー１９を通して発散させて、光の拡散や乱反射など、さまざまな視覚的効果を付加することができる。
【００３５】
また、カバー１９に、光源装置１８を隠蔽して鏡板２０を設けたので、光源装置１８がカバー１９を介して透けて見えることを防止して、美観を高めることができる。また、鏡板２０の銀メッキを部分的に除去して、鏡面から光を照射させるようにしたので、鏡板２０自体にも、光による演出効果を利用した特徴的な雰囲気の装飾を施すことができる。上記実施形態にあっては、蓋体６に透明もしくは半透明な部分を形成したが、全体を不透明に形成しても良いことはもちろんである。また、鏡板２０の銀メッキを部分的に除去する場合について説明したが、必ずしも銀メッキを除去する必要はない。
【００３６】
【発明の効果】
以上要するに、本発明にかかる収納ケースにあっては、光源からの光による多種多様な演出効果が得られるようにして、特徴的で固有の雰囲気を醸し出させる美的もしくは斬新で新奇な装飾を施すことができる。
【図面の簡単な説明】
【図１】本発明にかかる収納ケースの好適な一実施形態を示す斜視図である。
【図２】図１の収納ケースの側断面図である。
【図３】図１の収納ケースを開いて中皿を取り去った状態を示す概略平面図である。
【図４】図１の収納ケースの蓋体を回動させて接点を接触させた状態を示す要部拡大側断面図である。
【符号の説明】
１  収納ケース                      ３  ケース本体
４  ヒンジ                          ６  蓋体
１７  反射板                        １８  光源装置
１９  カバー                        ２０  鏡板
２１  ＲＧＢ光源                    ２２  電子基板
２３  ボタン型電池                  ３０  接点
【図１】
2004327094.tif 000003
【図２】
2004327094.tif 000004
【図３】
2004327094.tif 000005
【図４】
2004327094.tif 000006